(57)【要約】　　　（修正有）【課題】主たる目的は、より経済的且つ省エネルギーの携帯電話を模索実施する事である。そして携帯電話が本来家に居る時は、所謂親子電話のモバイル型の子機機能さえ装備させれば一般電話回線を利用してより安価に実施出来る事。又、太陽電池パネルを携帯電話背面に施せば電気や充電設備の無い所でも光さえあれば自由に充電できる等その利便性と省エネ性を極力追求する事にある。【解決手段】基本構成は、所謂一般有線回線の親子機能の、モバイル型子機２のその機能を携帯・ＰＨＳ電話に内蔵してそれらから一般有線回線たる親機１を直接利用する事が出来るように構成した。又、携帯・ＰＨＳ電話の一番の欠陥である外出先でのバッテリー切れ等は携帯背面に太陽電池を装備する事により例えば山でも海の上でも砂漠でも利用出来るように構成した。【選択図】図１
2004134822.tif 000002
【特許請求の範囲】
【請求項１】
「子機機能内蔵型携帯・ＰＨＳ電話」
図１のように通常、一般化、市販化されている一般回線型の親機１と呼ばれる本体電話機と一体機能化したモバイル型子機２の機能を携帯電話又はＰＨＳに内蔵して家庭用親機１と子機２とその子機機能を内蔵した携帯・ＰＨＳ電話３の三者で一体活用できるようにした事を特徴とした、子機機能内蔵型携帯・ＰＨＳ電話。
【請求項２】
「指定複数電波受発信機能付携帯電話、ＰＨＳ対応一般電話回線親電話機能」
指定の携帯・ＰＨＳ電波を受信して一般電話回線を起動させる為の受信機能を装備させると共に、指定携帯・ＰＨＳ電話も契約無線電波と親機用電波の双方を受発信する事の出来る複数電波受発信機能とし、一般回線の親機１を受発信する時は受信発光機能の付いた子機能受発信用発光ボタン４を操作して利用するか、自動切換え出来るようにした事を特徴とする指定複数電波受発信機能付携帯電話、ＰＨＳ対応一般電話回線親電話機能。
【請求項３】
「自動鍵、スイッチ開閉テレコマンド機能及びその電波受信起動装置一対型携帯・ＰＨＳ電話システム」
図２のように指定携帯・ＰＨＳ電話よりの電波を受信して、鍵やエンジン、お風呂、クーラー、ストーブ、電灯、門扉その他などを遠隔より自動開閉させる為の電波受信起動装置５とそこに挿入するコマンドチップ６を各電波受信装置ごとに挿入し起動させる事とし、例えばそのコマンドチップ６は携帯からの電波がコマンドボタン７から番号（１１）で発信されるとお風呂のスイッチが入り、コマンドボタン７から番号（１２）で発信されると、お風呂のスイッチが切られると言うように構成し、携帯やＰＨＳ電話に機能登録するシステムとした事を特徴とする自動鍵、スイッチ開閉テレコマンド機能及びその電波受信起動装置一対型携帯・ＰＨＳ電話システム。
【請求項４】
「ソーラーバッテリー装備型携帯・ＰＨＳ電話、ノート型パソコン等」
図３のように携帯・ＰＨＳ電話等の背面部８にソーラーバッテリー９を一体装備させるか、図４のように背面部を開閉式とし、扉内面本体部１０と扉内側面１１に太陽電池を装備させてその受光面積を増やして高効率化を計ると共に携帯・ｐＨＳ電話、ノート型パソコン等の本体内部にソーラーバッテリーからの電気を蓄電する蓄電池を装備させた事を特徴とした、ソーラーバッテリー装備型携帯・ＰＨＳ電話、ノート型パソコン等。
【請求項５】
「携帯、ＰＨＳ、子機能自動選択機能付携帯電話」
本考案請求項１の子機機能内蔵型携帯・ＰＨＳ電話においてＰＨＳ電波受信可能領域にあっては経費節約のため自動的にＰＨＳ回線を選択して受発信するように機能を装備させ、その優先順位として子機能、ＰＨＳ、携帯とし、全三回線自動優先選択機能を装備させた事を特徴とした携帯、ＰＨＳ、子機能自動選択機能付携帯電話。
【請求項６】
「テレビチャンネル変換、ビデオ録画等調整コマンダー内蔵型携帯・ＰＨＳ電話」
本考案請求項３のテレコマンド機能にコマンドチップ６と各電波受信起動装置５にテレビチャンネル変換、ビデオ録画予約、調整等のコマンダー機能を内蔵させ、携帯、ＰＨＳ電話からもスイッチオン、オフ及びチャンネル変換音量調整、ビデオ予約等を機能させた事を特徴とするテレビチャンネル変換、ビデオ録画等調整コマンダー内蔵型携帯・ＰＨＳ電話。
【請求項７】
「携帯送信電波自動録音システム」
本考案請求項１の親機１に本考案請求項３のテレコマンド及びその電波受信装置５を装備させる事により遠隔地より現在会話又は音を自宅又はオフィスの親機１等に自動転送録音する事を特徴とする携帯送信電波自動録音システム。
【発明の詳細な説明】
【０００１】
【産業上の利用分野】
当考案の産業上の利用分野は、その主には携帯通信における経済効果及び使用分野の拡大である
【０００２】
【従来の技術】
昨今、携帯電話は著しい技術革新の中にあり、その進歩は正に日進月歩である。がしかし、かなり安くなったとは言え一般有線電話回線での通信料に比べるとかなり割高である。一般に携帯電話使用に慣れてしまうと、家の中に居てもついついそれを使用してしまっていた。又自動車は特に冬など暖気の為に朝出勤前等、エンジン始動させるのを寒い思いをして行っている人も多い。又携帯のバッテリー等は遠隔地で充電切れして困っている人も多い。
【０００３】
【発明が解決しようとする課題】
まず経済的には家や家の周辺に居るときは家庭用の有線電話回線を使用する事により経費を格段に降下させえる。次にエンジン等の遠隔始動、又バッテリーの充電確保等である。
【０００４】
【課題を解決する手段】
当考案は携帯端末に子機機能を内蔵させているので、家又はその周辺に居る時には携帯でも一般有線回線を利用できる。又エンジン等も携帯電波により始動させる事が出来、充電もソーラーバッテリーを光に向けておいておけば常時充電してくれる。
【０００５】
【作用】
本考案の基本メカニズムは、図１にもあるように通常の有線回線の親機１と一体機能化されたモバイル型の子機２に対し、携帯・ＰＨＳ電話とも子機２と同じ機能を内蔵させて、もし家又はその近辺に居る場合は子機能専用スイッチボタンである子機能受発信用発光ボタン４より受発信操作を行う事により自動的に親機１が携帯からの電話を受発信するようにした事をその操作の特徴とする。
【０００６】
【実施例】
子機能内蔵型携帯・ＰＨＳ電話３の子機能受発信用発光ボタン４を押し通常のボタン操作を行う、受信のときも親機１からの場合は子機能受発信用発光ボタン４が光るようにしてそちらを押すようにする。
【０００７】
【発明の効果】
以上の通り、当考案はその主な機能としては、家や庭等に居るにもかかわらず習慣性の問題で携帯で電話を受発信するために、通常の電話料金に比べ数倍から十数倍の料金を支払っているのが現状であり、これは日本全国規模では莫大なエネルギー、お金の浪費に過ぎない。ほんの少しの技術的機能開発付与でこれらを解決する事が出来る。又ソーラーバッテリーの使用は自然エネルギーを活用し電話を常時使える状態にし、電気のない僻地や海上でも利用できる等その便利さは計り知れない。
【図面の簡単な説明】
【図１】三者機能連関図　　本考案の子機能内蔵型携帯・ＰＨＳ電話と通常の親電話、モバイル子機の連関図。
【図２】テレコマンド機能連関概略図
テレコマンド機能及びその電波受信起動装置一対型携帯・ＰＨＳ電話。
【図３】携帯・ＰＨＳ電話等背面略図
太陽電池装備時の携帯・ＰＨＳ電話等の背面様体略図。
【図４】携帯・ＰＨＳ電話等背面蓋開放時斜視図
太陽電池装備型携帯・ＰＨＳ電話等で背面蓋開放時の内部太陽電池概略図。
【符号の説明】
１　親機
２　子機
３　子機能内蔵型携帯・ＰＨＳ電話
４　子機能受発信用発光ボタン
５　電波受信起動装置
６　コマンドチップ
７　コマンドボタン
８　携帯・ＰＨＳ電話等の背面部
９　ソーラーバッテリー
１０　扉内面本体部
１１　扉内側面
【図１】
2004134822.tif 000003
【図２】
2004134822.tif 000004
【図３】
2004134822.tif 000005
【図４】
2004134822.tif 000006